(57)【特許請求の範囲】
【請求項１】
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号の受信完了から当該第２のチャネルの受信信号についての復号処理が完了するまでの時間が規定時間に定められている移動端末装置において、
該基地局装置から或るチャネル推定期間に受信された複数の既知信号を用いて前記第１のチャネルの受信信号についてのチャネル推定値を求めるチャネル推定処理部と、
前記チャネル推定処理部により得られた前記チャネル推定値を用いて前記第１のチャネルの受信信号についてのチャネル補償処理を行なうチャネル補償処理部と、
前記第２のチャネルの受信信号についての復号処理に要する時間に応じて、前記複数の既知信号に、チャネル補償対象の前記第１のチャネルの受信信号の受信後に受信される既知信号が含まれるように、前記チャネル推定期間を制御する制御手段と
がそなえられたことを特徴とする、移動端末装置。
【請求項２】
該制御手段が、
該基地局装置での前記第２のチャネルについての送信データ量の決定要素として用いられ該基地局装置へ報告すべき受信品質情報を前記既知信号から検出する受信品質情報検出部と、
該受信品質情報検出部で検出した前記受信品質情報に基づいて前記第２のチャネルの受信信号についての復号処理に要する時間を求める時間算出部と、
該時間算出部により得られた前記時間に応じて前記第１のチャネルの受信信号を遅延して該チャネル補償処理部へ該チャネル推定処理部で得られたチャネル推定値とパラレルに入力する遅延処理部とをそなえて構成されたことを特徴とする、請求項１記載の移動端末装置。
【請求項３】
該制御手段が、
フェージング速度を測定するフェージング速度測定部と、
該フェージング速度測定部により測定されたフェージング速度に応じて、前記チャネル推定期間における前記複数の既知信号の重み付けを制御する重み付け制御部とをそなえて構成されたことを特徴とする、請求項１又は２に記載の移動端末装置。
【請求項４】
該重み付け制御部が、
該フェージング速度測定部で測定されたフェージング速度が速いほど、前記チャネル推定期間において後に受信された既知信号の重み付けを大きくすべく構成されたことを特徴とする、請求項３記載の移動端末装置。
【請求項５】
該制御手段が、
前記第１のチャネルの受信信号についてのエラー率を測定するエラー率測定部と、
該エラー率測定部により測定されたエラー率が一定値以下になると、該基地局装置からの前記第２のチャネルについての送信データ量を減少させて前記第２のチャネルの受信信号についての復号処理に要する時間を拡大すべく、該受信品質情報検出部で検出された受信品質情報よりも低い受信品質情報を該基地局装置へ報告する受信品質情報補正報告部とをそなえて構成されたことを特徴とする、請求項２記載の移動端末装置。
【請求項６】
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号の受信完了から当該第２のチャネルの受信信号についての復号処理が完了するまでの時間が規定時間に定められている移動端末装置において、
該基地局装置から或るチャネル推定期間に受信される複数の既知信号を用いて前記第１のチャネルの受信信号についてのチャネル推定値を求めるチャネル推定ステップと、
当該チャネル推定ステップで得られたチャネル推定値を用いて前記第１のチャネルの受信信号についてのチャネル補償処理を行なうチャネル補償ステップと、
前記第２のチャネルの受信信号についての復号処理に要する時間に応じて、前記複数の既知信号に、チャネル補償対象の前記第１のチャネルの受信信号の受信後に受信される既知信号が含まれるように、前記チャネル推定期間を制御する制御ステップとを有することを特徴とする、移動端末装置におけるチャネル補償方法。
【請求項７】
該制御ステップが、
該基地局装置での前記第２のチャネルについての送信データ量の決定要素として用いられ該基地局装置へ報告すべき受信品質情報を前記既知信号から検出する受信品質情報検出ステップと、
該受信品質情報検出ステップで検出した前記受信品質情報に基づいて前記第２のチャネルの受信信号についての復号処理に要する時間を求める時間算出ステップと、
該時間算出ステップにより得られた前記時間に応じて前記第１のチャネルの受信信号を遅延して該チャネル補償処理部に前記チャネル推定値とパラレルに入力する遅延処理ステップとを含むことを特徴とする、請求項６記載の移動端末装置におけるチャネル補償方法。
【請求項８】
該制御ステップが、
フェージング速度を測定するフェージング速度測定ステップと、
該フェージング速度測定ステップにより測定されたフェージング速度に応じて、前記チャネル推定期間における前記複数の既知信号の重み付けを制御する重み付け制御ステップとを含むことを特徴とする、請求項６又は７に記載の移動端末装置におけるチャネル補償方法。
【請求項９】
該重み付け制御ステップにおいて、
該フェージング速度測定ステップで測定されたフェージング速度が速いほど、前記チャネル推定期間において後に受信された既知信号の重み付けを大きくすることを特徴とする、請求項８記載の移動端末装置におけるチャネル補償方法。
【請求項１０】
該制御ステップが、
前記第１のチャネルの受信信号についてのエラー率を測定するエラー率測定ステップと、
該エラー率測定ステップにより測定されたエラー率が一定値以下になると、該基地局装置からの前記第２のチャネルについての送信データ量を減少させて前記第２のチャネルの受信信号についての復号処理に要する時間を拡大すべく、該受信品質情報検出ステップで検出された受信品質情報よりも低い受信品質情報を該基地局装置へ報告する受信品質情報補正報告ステップとを含むことを特徴とする、請求項７記載の移動端末装置におけるチャネル補償方法。
【発明の詳細な説明】
【技術分野】
【０００１】
本発明は、移動端末装置及び同装置におけるチャネル補償方法に関し、例えば、無線移動機の伝送方式の一つであるＨＳＤＰＡ（High Speed Downlink Packet Access）伝送方式による通信を行なう装置に用いて好適な技術に関する。
【背景技術】
【０００２】
現在、３ＧＰＰ（3rd Generation Partnership Project）で、第３世代移動通信システムの１つの方式であるＷ−ＣＤＭＡ（Wideband-Code Division Multiple Access）方式の標準化のテーマの１つとして、基地局装置（以下、単に「基地局」ともいう）から移動端末装置（以下、移動機という）への方向（ダウンリンク）の通信で最大約１４Ｍｂｐｓの伝送速度を提供するＨＳＤＰＡが規定されている。
【０００３】
ＨＳＤＰＡ伝送方式は、移動機の置かれている受信環境に応じて、後述するHS-PDSCH（High Speed-Physical Downlink Shared Channel）のマルチコード数、変調方式（ＱＰＳＫや１６ＱＡＭ等）、送信ブロックサイズ（ＴＢＳ：Transport Block Size）などを変化させることで、最適な伝送速度を選択して通信を行なう技術である。
即ち、ＨＳＤＰＡは、適応符号化変調方式を採用しており、例えば、ＱＰＳＫ変調方式と１６ＱＡＭ方式とを基地局と移動機との間の無線環境に応じて適応的に切り替えることを特徴としている。また、上記適応変調方式を実現するために、移動機から基地局に対して受信環境を報告するためのＣＱＩ（Channel Quality Indicator）が定義されており、ＣＱＩテーブルとして、例えば、ＣＱＩ＝１〜３０に応じて伝送速度の異なるフォーマットが定義されている。
【０００４】
そして、移動機は、受信環境を測定し、その環境下でＣＱＩを送信する１スロット前以内から３スロット間でHS-PDSCHを受信したと仮定した場合に、HS-PDSCHのBLER（Block Error Rate）＝０．１を超えない最大のＣＱＩ、またはそれよりも小さいＣＱＩを基地局に報告する。
ここで、ＨＳＤＰＡに用いられる主な無線チャネルには、HS-SCCH（High Speed-Shared Control Channel）、HS-PDSCH（High Speed-Physical Downlink Shared Channel）、HS-DPCCH（High Speed-Dedicated Physical Control Channel）がある。
【０００５】
HS-SCCH、HS-PDSCHは、双方とも下り方向（ダウンリンク）の共通チャネルであり、HS-SCCHは、HS-PDSCHにて送信するデータに関する各種パラメータを送信するための制御チャネルである。各種パラメータとしては、例えば、どの変調方式を用いてHS-PDSCHによりデータを送信するかを示す変調タイプ情報や、拡散符号の割当て数（コード数）、送信データに対して施したレートマッチング処理のパターン等の情報が挙げられる。
【０００６】
一方、HS-DPCCHは、移動機から基地局への方向である上り方向（アップリンク）の個別の制御チャネルであり、HS-PDSCHを介して受信したデータの受信可、否に応じてそれぞれＡＣＫ信号、ＮＡＣＫ信号を移動機が基地局に対して送信する場合に用いられる。
また、HS-DPCCHは、基地局からの受信信号の受信品質〔例えば、信号対干渉比（ＳＩＲ：Signal Interference Ratio）〕を測定した移動機が、その結果をＣＱＩとして基地局に定期的に送信するためにも用いられる（図９参照）。基地局は、受信したＣＱＩにより、下り方向の無線環境の良否を判断し、良好であれば、より高速にデータを送信可能な変調方式等に切り替え、良好でなければ、より低速にデータを送信する変調方式等に適応的に切り替える。
【０００７】
・「チャネル構造」
次に、ＨＳＤＰＡにおけるチャネル構成について説明する。
図９は、ＨＳＤＰＡにおけるチャネル構成を示す図である。なお、Ｗ−ＣＤＭＡでは、符号分割多重方式を採用するため、各チャネルは符号により分離されている。
まず、この図９中に示すチャネルのうち、説明していないチャネルについて簡単に説明する。
【０００８】
CPICH（Common Pilot Channel）およびP-CCPCH（Primary Common Control Physical Channel）は、それぞれ、下り方向の共通チャネルであり、CPICHは、移動機においてチャネル推定、セルサーチ、同一セル内における他の下り物理チャネルのタイミング基準として利用されるチャネルであって、いわゆるパイロット信号（基地局と移動機との間で既知の信号）を送信するためのチャネルであり、P-CCPCHは、報知情報を送信するためのチャネルである。
【０００９】
次に、各チャネルのタイミング関係について説明する。
図９に示すように、各チャネルは、１５個のスロットにより１フレーム（１０ｍｓ）を構成している。先に説明したように、CPICHは、他のチャネルの基準として用いられるため、P-CCPCH及びHS-SCCHのフレームの先頭は、当該CPICHのフレームの先頭と一致している。ここで、HS-PDSCHのフレームの先頭は、HS-SCCHに対して２スロット遅延している。これは、移動機がHS-PDSCHの復調を行なうために必要となる変調タイプ情報や、拡散コード情報を予めHS-SCCHを介して予告しておくためである。
【００１０】
従って、移動機は、HS-SCCHで予告されたこれらの情報に従って、対応する復調方式、逆拡散コードを選択してHS-PDSCHの復調等の処理を実行するのである。また、HS-SCCH、HS-PDSCHは、３スロットで１サブフレームを構成している。以上が、ＨＳＤＰＡのチャネル構成の簡単な説明である。
・「移動機構成」
次に、図１０に、ＨＳＤＰＡに準拠した従来の移動機（移動端末装置）の要部の構成例を示す。この図１０に示すように、移動機は、例えば、受信機１０１，ＣＱＩ報告値算出部１０２，HS-SCCHチャネル推定フィルタ１０３，HS-SCCHチャネル補償処理部１０４，HS-SCCH復調処理部１０５，HS-SCCH復号処理・ＣＲＣ演算部１０６，HS-PDSCHシンボルバッファ１０７，HS-PDSCHチャネル推定フィルタ１０８，HS-PDSCHチャネル補償処理部１０９，HS-PDSCH復調処理部１１０，HS-PDSCH復号処理部１１１，HS-PDSCH-CRC演算部１１２，下り受信タイミング監視部１１３，上り送信タイミング管理部１１４，スケジューリング処理部１１５，符号化処理部１１６，変調処理部１１７及び送信機１１８をそなえて構成されている。
【００１１】
そして、この図１０に示す移動機では、受信アンテナ（図示省略）から受信した受信信号が受信機１０１に入力されて、当該受信機１０１にて、パス検出や逆拡散処理等が行なわれて、CPICH、HS-SCCH、HS-PDSCHの各チャネルが分離される。分離されたCPICHは、ＣＱＩ報告値算出部１０２、HS-SCCHチャネル推定フィルタ１０３及びHS-PDSCHチャネル推定フィルタ１０８にそれぞれ入力される。
【００１２】
ＣＱＩ報告値算出部１０２では、CPICHを介して受信されたパイロット信号（CPICHシンボル）から受信ＳＩＲが求められ、当該受信ＳＩＲに対するＣＱＩ報告値が算出される。また、HS-SCCHチャネル推定フィルタ１０３及びHS-PDSCHチャネル推定フィルタ１０８では、それぞれ、受信パイロット信号を基にHS-SCCH及びHS-PDSCHの各チャネルのチャネル推定値が算出される。
【００１３】
そして、受信機１０１にて分離されたHS-SCCHチャネルは、HS-SCCHチャネル補償処理部１０４にて、HS-SCCHチャネル推定フィルタ１０３により得られたチャネル推定値を用いてHS-SCCHについてのチャネル補償が行なわれた後、HS-SCCH復調処理部１０５にて復調処理を施され、HS-SCCH復号処理・ＣＲＣ演算部１０６にて、復号処理及びＣＲＣ演算（エラーチェック）が施される。このHS-SCCH復号処理・ＣＲＣ演算部１０６で復号された情報には、前述したように変調タイプ情報や、拡散コード情報といったHS-PDSCHの復号に必要な情報が含まれているため、HS-PDSCH復号処理部１１１に供給される。なお、HS-SCCHのＣＲＣ演算結果がＮＧだった場合は、その旨（DTX）が基地局へ通知すべくスケジューリング処理部１１５へ通知される。
【００１４】
一方、受信機１０１にて分離されたHS-PDSCHの受信信号（HS-PDSCHシンボル）は、HS-PDSCHシンボルバッファ１０７に一旦バッファされて遅延された後、HS-PDSCHチャネル補償処理部１０９にて、HS-PDSCHチャネル推定フィルタ１０８により得られたチャネル推定値を用いてチャネル補償が施され、HS-PDSCH復調処理部１１０にて、復調処理が施される。なお、HS-PDSCHシンボルバッファ１０７を用いてHS-PDSCHシンボルを遅延させるのは、図１１により後述するように、あるスロットのHS-PDSCHシンボルを復調するには、当該復調対象のスロットのHS-PDSCHシンボルを中心とした過去と未来の複数スロット分のCPICHシンボルの平均化処理により算出されるチャネル推定値を用いるのが好ましいためである。
【００１５】
さて、復調されたHS-PDSCHは、さらに、HS-PDSCH復号処理部１１１にて、HS-SCCH復号処理・ＣＲＣ演算部１０６で得られた拡散コード情報等を用いて復号された後、HS-PDSCH-CRC演算部１１２にて、ＣＲＣ演算が施され、その演算結果（ＯＫ／ＮＧ）がACK/NACKとしてスケジューリング処理部１１５へ渡される。
スケジューリング処理部１１５では、ＣＱＩ報告値算出部１０２からのＣＱＩ報告値、HS-SCCH復号処理・ＣＲＣ演算部１０６からのDTX、および、HS-PDSCH-CRC演算部１１２からのACK/NACKを、それぞれ、上り送信タイミング管理部１１４からの送信タイミング信号に従ってスケジューリング処理する。即ち、図９中最下段に示すごとく、ＣＱＩ報告値はHS-PDSCHの受信から約２．５スロット後に、ACK/NACK(/DTX)はそれぞれHS-PDSCHの受信完了から約７．５スロット後に送信されるようにスケジューリングを行なう。なお、HS-PDSCHの受信は下り受信タイミング監視部１１３で監視されている。
【００１６】
上述のごとくスケジューリングされた各情報は、符号化処理部１１６にてHS-DPCCHのデータとして符号化された後、変調処理部１１７にて変調されて、送信機１１８からHS-DPCCHで基地局装置に向けて送信される。基地局装置は、ACKを受信すれば新規データを送信するが、DTXを受信すればHS-SCCH及びHS-PDSCHの再送処理を行ない、NACKを受信すれば、HS-PDSCHの再送処理を行なう。
【００１７】
以上のようにして、ＨＳＤＰＡの移動機は、HS-SCCHの復号を先に行ない、その復号結果を用いてHS-PDSCHの復号を行なう。そのため、通常、HS-SCCHには、HS-PDSCHよりも誤り耐性の高い（受信品質の良い）チャネルが割り当てられている。
なお、ＨＳＤＰＡに関する技術として、下記特許文献１〜３により提案されている技術がある。
【００１８】
(1)特許文献１の技術は、上り方向のHS-DPCCHのACK/NACK領域に対して、基地局で信頼度判定処理を行なうことで、本来NACKである信号をACKと誤受信する現象を低減させる技術である。即ち、特許文献１の技術では、上り方向のACK信号が誤りである可能性が高い場合を検出して、NACK信号に補正することで、下り方向のデータの欠落を改善することが可能である。
【００１９】
(2)特許文献２の技術は、上り方向のHS-DPCCHのACK/NACK領域に対して、電力制御を行なう（ACK/NACK信号が誤る可能性がある場合に送信電力を上げる）ことで、基地局でのACK/NACK信号の誤受信を低減させる技術である。
(3)特許文献３の技術は、上り方向のHS-DPCCHの電力制御を適切に行なう技術である。
【特許文献１】特許第３４７１７８５号公報
【特許文献２】特表２００５−５２２９１１号公報
【特許文献３】特表２００５−５１０１７３号公報
【発明の開示】
【発明が解決しようとする課題】
【００２０】
図１１は図１０に示す移動機でのHS-PDSCHのチャネル推定／補償処理のタイムチャートイメージをシンボル単位で示す図であり、図１２は同じく図１０に示す移動機でのHS-SCCHのチャネル推定／補償処理のタイムチャートイメージをシンボル単位で示す図である。なお、これらの図１１及び図１２において、１スロットあたりのシンボル数は＃０〜＃９の１０シンボルとしている。
【００２１】
移動機におけるHS-PDSCHの復調には、あるスロット〔例えば図１１のスロット（slot）＃ｎ〕を復調するためには当該スロット＃ｎの時刻に適したチャネル推定値をCPICHシンボルから算出して、HS-PDSCHシンボルの復調処理を行なう必要がある。そのため、スロット＃ｎの時刻に適したチャネル推定値（フィルタ処理）は過去と未来のCPICHシンボル（スロット＃ｎ−１〜スロット＃ｎ＋１）の平均化処理（図１１及び図１２中のΣが平均化処理をそれぞれ表している）を行なうことで算出するのが好ましいが、この場合、チャネル推定処理が完了するまでに、既にスロット＃ｎ＋１の時刻になってしまう。
【００２２】
そこで、移動機では、図１１中に矢印２００で示すごとく、スロット＃ｎのHS-PDSCHシンボルを前記HS-PDSCHシンボルバッファ１０７により遅延させて、スロット＃ｎ＋１〜スロット＃ｎ＋２の時刻で復調処理を行なう。
ここで、ＨＳＤＰＡでは、前述したように、HS-PDSCHの受信完了から７．５スロット後に基地局に対してACK/NACK信号を送信しなければならず、また、HS-SCCHを受信してから２スロット後にHS-PDSCHを受信する規格になっているため、ＨＳＤＰＡの最大スループットである約１４Ｍｂｐｓ（ＴＢＳで約２５０００）のデータ信号のHS-PDSCH復号処理をACK/NACK(/DTX)の送信処理までに完了させるためには、HS-SCCHの復調処理と復号処理とを１スロット以内に行なって、HS-PDSCHの復号に必要な情報（HS-PDSCH復号情報）を得なければならない。
【００２３】
そのため、例えばHS-SCCHのあるスロット（例えば図１２のスロット＃ｎ）を復調するには、本来ならばHS-PDSCHについての復調処理と同様にHS-SCCHの受信シンボルを１スロット分遅延（バッファ処理）させて、当該受信シンボルを中心とした過去と未来のCPICHシンボル（例えば図１２のスロット＃ｎ−１〜スロット＃ｎ＋１のCPICHシンボル)から算出したチャネル推定値を用いて復調処理を行なうのが好ましいが、上述した時間的な制約があるため、HS-SCCHの受信シンボルについては遅延（バッファ処理）させることができない。
【００２４】
そのため、スロット＃ｎのHS-SCCHシンボルを復調するためには、未来のCPICHシンボルを用いることができず、過去に受信したCPICHシンボル（例えば、スロット＃ｎ−２〜スロット＃ｎのCPICHシンボル）のみから算出したチャネル推定値を用いて復調処理を行なわなければならない。
即ち、図１１において、スロット＃ｎのシンボル＃０に着目すると、HS-PDSCHのシンボル＃０に対するチャネル推定フィルタ処理は、過去のスロット＃ｎ−１の最初のCPICHシンボルから未来のスロット＃ｎの最後のCPICHシンボルまでを用いることができるため、HS-PDSCHのシンボル＃０の時刻を中心とした過去と未来のCPICHシンボル（スロット＃ｎ−１〜スロット＃ｎ＋１）からチャネル推定値を算出することが可能である。
【００２５】
これに対して、図１２に示すように、HS-SCCHのスロット＃ｎのシンボル＃０に対するチャネル推定値フィルタ処理は、１つ前の過去のスロット＃ｎ−１の最後のCPICHシンボルまでに処理を行なわなければならないため、さらに１つ前のスロット＃ｎ−２の最初のCPICHシンボルからスロット＃ｎ−１の最後のCPICHシンボルまでを用いてフィルタ処理を行なうことになるのである。
【００２６】
そのため、HS-SCCHのスロット＃ｎ−１の最初のシンボルの時刻（シンボル＃０の時刻の１スロット前の時刻）を中心としたチャネル推定値が算出されるため、受信環境によってはシンボル＃０の時刻に適さないチャネル推定値が算出される可能性がある。その結果、高速フェージング等でチャネル推定結果が短時間で変動し、過去のチャネル推定値と現在のチャネル推定値とが異なるような環境下では、HS-SCCHの受信品質がHS-PDSCHの受信品質と比較して劣化する傾向になる。
【００２７】
つまり、前述したようにHS-SCCHには、通常、HS-PDSCHよりも誤り耐性の高いチャネルが割り当てられているから、本来的には、HS-SCCHの方がHS-PDSCHよりも受信品質が良いはずであるが、HS-SCCHの復調にチャネル推定値を求めるのに、前記復調処理の時間的制約があるために、過去のCPICHシンボルしか用いることができず、その結果、高速フェージング等の無線環境によっては、その関係が逆転する場合があるのである。
【００２８】
かかる現象を図１３及び図１４を用いて説明する。図１３は、フェージング速度に対する固定フォーマット受信時のHS-PDSCHのBLER（Block Error Rate）特性を定量的に示したグラフであり、図１４は、フェージング速度に対するHS-SCCHのBLER特性を定量的に示したグラフである。
図１３に示すように、HS-PDSCHのBLERはフェージング速度に対して略一定となっているが、図１４に示すように、HS-SCCHのBLERはフェージング速度が高速になるほど劣化していることが分かる。このように、定量的にフェージング環境等の時系列に位相変動が発生する環境下では、HS-PDSCHの受信品質と比較してHS-SCCHの受信品質が劣化する傾向にある。
【００２９】
そのため、高速フェージング時はHS-PDSCHの受信品質が比較的良好であるにも関わらず、HS-SCCHの受信品質が劣化し、HS-SCCHのＣＲＣ演算結果がＮＧと判定され、HS-PDSCHの復号処理を行なうことができない。その結果、受信速度が低下し、移動機のスループットやシステムのスループットが低下してしまう。
なお、前記特許文献１〜３の技術では、誤っている可能性の高いACK信号をNACK信号に補正したり、送信電力制御を行なうことでACK/NACK信号の誤受信を低減して下り方向のデータ欠落を改善しているが、いずれの技術も、移動機でのHS-SCCHの受信品質そのものを基地局との間で特別な送信電力制御を行なうことなく適応的に改善することはできない。
【００３０】
本発明は、このような課題に鑑み創案されたもので、高速フェージング時などの無線環境下においてもHS-SCCHの受信品質そのものの劣化を基地局装置との間で特別な送信電力制御などを必要とせずに抑制して、ダウンリンクのスループットの向上を図ることを目的とする。
【課題を解決するための手段】
【００３１】
上記の目的を達成するために、本発明では、以下の移動端末装置及び同装置におけるチャネル補償方法を用いることを特徴としている。即ち、
（１）本発明の移動端末装置は、基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号の受信完了から当該第２のチャネルの受信信号についての復号処理が完了するまでの時間が規定時間に定められている移動端末装置において、該基地局装置から或るチャネル推定期間に受信された複数の既知信号を用いて前記第１のチャネルの受信信号についてのチャネル推定値を求めるチャネル推定処理部と、前記チャネル推定処理部により得られた前記チャネル推定値を用いて前記第１のチャネルの受信信号についてのチャネル補償処理を行なうチャネル補償処理部と、前記第２のチャネルの受信信号についての復号処理に要する時間に応じて、前記複数の既知信号に、チャネル補償対象の前記第１のチャネルの受信信号の受信後に受信される既知信号が含まれるように、前記チャネル推定期間を制御する制御手段とがそなえられたことを特徴としている。
（２）ここで、該制御手段は、該基地局装置での前記第２のチャネルについての送信データ量の決定要素として用いられ該基地局装置へ報告すべき受信品質情報を前記既知信号から検出する受信品質情報検出部と、該受信品質情報検出部で検出した前記受信品質情報に基づいて前記第２のチャネルの受信信号についての復号処理に要する時間を求める時間算出部と、該時間算出部により得られた前記時間に応じて前記第１のチャネルの受信信号を遅延して該チャネル補償処理部へ該チャネル推定処理部で得られたチャネル推定値とパラレルに入力する遅延処理部とをそなえて構成してもよい。
【００３２】
（３）また、該制御手段は、フェージング速度を測定するフェージング速度測定部と、該フェージング速度測定部により測定されたフェージング速度に応じて、前記チャネル推定期間における前記複数の既知信号の重み付けを制御する重み付け制御部とをそなえて構成されてもよい。
（４）さらに、該重み付け制御部は、該フェージング速度測定部で測定されたフェージング速度が速いほど、前記チャネル推定期間において後に受信された既知信号の重み付けを大きくすべく構成されていてもよい。
【００３３】
（５）また、該制御手段は、前記第１のチャネルの受信信号についてのエラー率を測定するエラー率測定部と、該エラー率測定部により測定されたエラー率が一定値以下になると、該基地局装置からの前記第２のチャネルについての送信データ量を減少させて前記第２のチャネルの受信信号についての復号処理に要する時間を拡大すべく、該受信品質情報検出部で検出された受信品質情報よりも低い受信品質情報を該基地局装置へ報告する受信品質情報補正報告部とをそなえて構成されてもよい。
【００３４】
（６）また、本発明の移動端末装置におけるチャネル補償方法は、基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号の受信完了から当該第２のチャネルの受信信号についての復号処理が完了するまでの時間が規定時間に定められている移動端末装置において、該基地局装置から或るチャネル推定期間に受信される複数の既知信号を用いて前記第１のチャネルの受信信号についてのチャネル推定値を求めるチャネル推定ステップと、当該チャネル推定ステップで得られたチャネル推定値を用いて前記第１のチャネルの受信信号についてのチャネル補償処理を行なうチャネル補償ステップと、前記第２のチャネルの受信信号についての復号処理に要する時間に応じて、前記複数の既知信号に、チャネル補償対象の前記第１のチャネルの受信信号の受信後に受信される既知信号が含まれるように、前記チャネル推定期間を制御する制御ステップとを有することを特徴としている。
【００３５】
（７）ここで、該制御ステップは、該基地局装置での前記第２のチャネルについての送信データ量の決定要素として用いられ該基地局装置へ報告すべき受信品質情報を前記既知信号から検出する受信品質情報検出ステップと、該受信品質情報検出ステップで検出した前記受信品質情報に基づいて前記第２のチャネルの受信信号についての復号処理に要する時間を求める時間算出ステップと、該時間算出ステップにより得られた前記時間に応じて前記第１のチャネルの受信信号を遅延して該チャネル補償処理部に前記チャネル推定値とパラレルに入力する遅延処理ステップとを含んでいてもよい。
【００３６】
（８）また、該制御ステップは、フェージング速度を測定するフェージング速度測定ステップと、該フェージング速度測定ステップにより測定されたフェージング速度に応じて、前記チャネル推定期間における前記複数の既知信号の重み付けを制御する重み付け制御ステップとを含んでいてもよい。
（９）さらに、該重み付け制御ステップでは、該フェージング速度測定ステップで測定されたフェージング速度が速いほど、前記チャネル推定期間において後に受信された既知信号の重み付けを大きくしてもよい。
【００３７】
（１０）また、該制御ステップは、前記第１のチャネルの受信信号についてのエラー率を測定するエラー率測定ステップと、該エラー率測定ステップにより測定されたエラー率が一定値以下になると、該基地局装置からの前記第２のチャネルについての送信データ量を減少させて前記第２のチャネルの受信信号についての復号処理に要する時間を拡大すべく、該受信品質情報検出ステップで検出された受信品質情報よりも低い受信品質情報を該基地局装置へ報告する受信品質情報補正報告ステップとを含んでいてもよい。
【発明の効果】
【００３８】
上記本発明によれば、少なくとも、次のような効果ないし利点が得られる。
（１）高速フェージング時などの無線環境の受信波の位相が変動するような環境により、受信環境が悪く、第１のチャネルの受信特性が劣化する傾向にある環境でも、チャネル推定期間を前記第１のチャネルの受信後に受信される未来の既知信号が含まれるよう最適化制御できるので、基地局装置との間で特別な送信電力制御などを必要とせずに、第１のチャネル用のチャネル推定値の精度を高めることができる。したがって、第１のチャネルの受信特性を向上（エラー率を低減）させることが可能となり、これにより、第２のチャネルの受信特性も向上させることができ、結果的に、移動端末装置の受信速度を向上して、移動端末装置のスループットとシステムのスループットの改善を図ることが可能となる。
【００３９】
（２）また、前記第２のチャネルの受信信号についての復号処理に要する時間に応じて前記第１のチャネルの受信信号を遅延して前記チャネル補償処理部へ前記チャネル推定処理部で得られたチャネル推定値とパラレルに入力する遅延処理部をそなえることにより、上記チャネル推定期間の制御が可能となり、また、１つのチャネル推定処理部で異なるチャネル推定期間のチャネル推定値を得ることが可能となるので、装置構成の簡素化に大きく寄与する。
【００４０】
（３）さらに、フェージング速度に応じて、前記チャネル推定期間における前記複数の既知信号の重み付けを制御する、例えば、フェージング速度が速いほど、前記チャネル推定期間において後に受信された既知信号の重み付けを大きくする重み付け制御部をそなえることで、第１のチャネル用のチャネル推定値の精度をさらに高めて、第１のチャネルの受信特性をさらに向上することが可能となる。
【００４１】
（４）また、前記第１のチャネルの受信信号についてのエラー率が一定値以下になると、基地局装置へ報告すべき受信品質情報を低く報告することで、基地局装置からの前記第２のチャネルについての送信データ量を減少させて、前記第２のチャネルの受信信号についての復号処理に要する時間を移動端末装置主導で積極的に拡大することができるので、第１のチャネルのエラー率が劣化しても、移動端末装置主導で、第１のチャネル用のチャネル推定値の精度を高めて、第１のチャネルの受信特性を積極的に向上させることが可能である。
【００４２】
（５）さらに、上記処理はいずれも移動端末装置側で閉じた処理であるので、基地局装置側に特別な変更を加える必要がなく、汎用性にも富む。
【発明を実施するための最良の形態】
【００４３】
〔Ａ〕概要説明
HS-PDSCHの復号処理に要する時間は、主として、基地局から送信される送信ブロックサイズ（ＴＢＳ：Transport Block Size）に依存しており、例えば図１に示すように、ＴＢＳが小さくなるほど、HS-PDSCH復号処理に要する時間も少なくなる。なお、図１では、最大のＴＢＳ（≒２５０００）の場合にHS-PDSCH復号処理に要する時間が１．５ｍｓ（図９により前述した７．５スロット分に相当する）であることを示している。
【００４４】
ここで、基地局から送信されるＴＢＳは、移動機が送信するＣＱＩ報告値に依存しているため、報告したＣＱＩから、基地局から送信されるHS-PDSCHのＴＢＳを算出することが可能である。
そこで、HS-SCCHのチャネル推定処理とチャネル補償処理において、移動機が送信したＣＱＩ報告値を用いて、基地局から送信されるHS-PDSCHのＴＢＳを算出し、HS-PDSCHの復号処理に要する時間を算出することで、HS-SCCH用のチャネル推定処理に費やせる時間を算出し、その算出時間を基にHS-SCCHの受信シンボルをシンボル単位で遅延（バッファ処理）させ、チャネル推定フィルタ範囲を最適な範囲にすることにより、HS-SCCHのチャネル推定値の精度を高めて、HS-SCCHの受信特性を向上させることが可能となる。
【００４５】
また、HS-SCCHのBLERを測定し、エラー率が一定値よりも悪くなった場合、基地局に報告するＣＱＩ報告値を低く報告し、基地局から送信されるＴＢＳを小さくすることでHS-SCCH用のチャネル推定処理に費やせる時間を長くし、HS-SCCH用のチャネル推定フィルタ範囲を最適な範囲にすることにより、HS-SCCHのエラー率を改善させることも可能である。
以上の手法により、HS-SCCHの受信特性を向上させることが可能となるため、移動機のスループットを向上させることが可能になる。
【００４６】
以下、上記手法の実現手段について図面を参照しながら詳述する。
〔Ｂ〕第１実施形態の説明
図２は本発明の第１実施形態に係るＨＳＤＰＡに準拠した移動機の要部構成を示すブロック図で、この図２に示す移動機は、例えば、図１０にて既述のものとそれぞれ同様の機能を有する、受信機１１，ＣＱＩ報告値算出部１２，HS-SCCHチャネル推定フィルタ１３，HS-SCCHチャネル補償処理部１４，HS-SCCH復調処理部１５，HS-SCCH復号処理・ＣＲＣ演算部１６，HS-PDSCHシンボルバッファ１７，HS-PDSCHチャネル推定フィルタ１８，HS-PDSCHチャネル補償処理部１９，HS-PDSCH復調処理部２０，HS-PDSCH復号処理部２１，HS-PDSCH-CRC演算部２２，下り受信タイミング監視部２３，上り送信タイミング管理部２４，スケジューリング処理部２５，符号化処理部２６，変調処理部２７及び送信機２８をそなえるほか、チャネル推定フィルタスライドシンボル数算出部２９及びHS-SCCHシンボルバッファ３０をそなえて構成されている。なお、基地局装置の構成は、３ＧＰＰに準拠した基地局であれば、従来と同じ構成でよい。
【００４７】
ここで、受信機１１は、受信アンテナ（図示省略）で受信された下り受信信号についてパス検出や逆拡散処理等を施して、下り受信信号をCPICH、HS-SCCH、HS-PDSCHの各チャネルに分離する機能を有するものであり、ＣＱＩ報告値算出部（受信品質情報検出部）１２は、CPICHにより受信されたパイロット信号（CPICHシンボル）から受信ＳＩＲを求めて対応するＣＱＩ報告値、即ち、基地局装置でのHS-PDSCHについてのＴＢＳの決定要素として用いられ基地局装置へ報告すべき受信品質情報を算出（検出）するものである。
【００４８】
HS-SCCHチャネル推定フィルタ（チャネル推定処理部）１３は、受信機１１から受信される複数のCPICHシンボル（既知信号）を用いてHS-SCCH（第１のチャネル）のチャネル補償に用いるチャネル推定値を求めるもので、本例では、チャネル補償対象のHS-SCCHシンボルの受信後に受信される未来のCPICHシンボルをチャネル推定フィルタ処理（平均化処理）に用いる（加える）べく、後述するチャネル推定フィルタスライドシンボル数算出部２９で得られたスライドシンボル数だけチャネル推定期間、即ち、平均化処理対象のCPICHシンボル範囲（チャネル推定フィルタ範囲）をシンボル単位でチャネル補償対象のHS-SCCHシンボルに対して時間的に未来の方向へスライド（シフト）させることができるようになっている。
【００４９】
HS-SCCHチャネル補償処理部１４は、HS-SCCHシンボルバッファ３０を介して受信されたHS-SCCHシンボルに対してHS-SCCHチャネル推定フィルタ１３により得られたチャネル推定値を用いてチャネル補償を行なうものであり、HS-SCCH復調処理部１５は、このHS-SCCHチャネル補償処理部１４によるチャネル補償後のHS-SCCHシンボルを復調するものであり、HS-SCCH復号処理・ＣＲＣ演算部１６は、このHS-SCCH復調処理部１５により復調されたHS-SCCHシンボルを復号してＣＲＣ演算を行なうものである。
【００５０】
HS-PDSCHチャネル推定フィルタ１８は、従来と同様に、受信機１１により分離されたCPICHシンボルからHS-PDSCH用のチャネル推定値を求めるもので、複数のCPICHシンボル（例えば、２スロット分のCPICHシンボル）の平均化処理により当該チャネル推定値を算出するようになっている。
HS-PDSCHシンボルバッファ１７も、従来と同様に、受信機１１により分離されたHS-PDSCH（第２のチャネル）の受信信号（HS-PDSCHシンボル）を一時的に保持して遅延させるもので、HS-PDSCHシンボルのチャネル補償処理に、当該チャネル補償対象のHS-PDSCHシンボルと同タイミングで受信されたCPICHシンボルを中心とした過去と未来の複数のCPICHシンボルの平均化処理により算出されたチャネル推定値が用いられるように、受信HS-PDSCHシンボルをシンボル単位で遅延させるようになっている。
【００５１】
例えば、HS-PDSCHチャネル推定フィルタ１８での平均化処理対象のCPICHシンボル数が２スロット分であれば、HS-PDSCHシンボルバッファ１７は、受信HS-PDSCHシンボルを１スロット分だけ遅延させて、上記平均化処理対象の２スロット分のCPICHシンボルの中心に位置するシンボルタイミングで、チャネル補償対象の受信HS-PDSCHシンボルが後段のHS-PDSCHチャネル補償処理部１９に入力されることになる。
【００５２】
HS-PDSCHチャネル補償処理部１９は、HS-PDSCHシンボルバッファ１７で遅延されたHS-PDSCHシンボルについてHS-PDSCHチャネル推定フィルタ１８により得られたチャネル推定値を用いてチャネル補償処理を行なうことにより、上述のごとくチャネル補償対象のHS-PDSCHシンボルを中心とした過去と未来の複数のCPICHシンボルの平均化処理により算出されたチャネル推定値を用いて当該HS-PDSCHシンボルのチャネル補償処理を行なうものである。
【００５３】
HS-PDSCH復調処理部２０は、上記HS-PDSCHチャネル補償処理部１９によるチャネル補償後のHS-PDSCHシンボルを復調するものであり、HS-PDSCH復号処理部２１は、このHS-PDSCH復調処理部２０で復調されたHS-PDSCHシンボルを、HS-SCCH復号処理・ＣＲＣ演算部１６で得られる拡散コード情報等のHS-PDSCHの復号に必要な情報（HS-PDSCH復号情報）を用いて復号するものである。ただし、本例では、後述するごとく、チャネル推定フィルタスライドシンボル数算出部２９で求められるスライドシンボル数だけ、上記HS-PDSCH復号情報が遅延して算出されるため、HS-PDSCH復号処理の開始を当該スライドシンボル数だけ遅延させるようになっている。
【００５４】
HS-PDSCH-CRC演算部２２は、上記HS-PDSCH復号処理部２１で復号されたHS-PDSCHシンボルについてＣＲＣ演算を施すことによりエラーチェックを行なうもので、その結果（ＯＫ／ＮＧ）がACK/NACK信号として得られるようになっている。
下り受信タイミング監視部２３は、受信機１１で受信された各チャネルの下り受信タイミングを監視するものであり、上り送信タイミング管理部２４は、この下り受信タイミング監視部２３で監視された下り受信タイミングを基に、ＣＱＩ報告値及びACK/NACK(DTX)が図９により前述したタイミングでそれぞれ基地局装置へ送信されるよう上り送信タイミングを管理するものである。
【００５５】
スケジューリング処理部２５は、上記上り送信タイミング管理部２４で管理されている送信タイミングに従って、ＣＱＩ報告値算出部１２で算出されたＣＱＩ報告値、HS-SCCH復号処理・ＣＲＣ演算部１６でHS-SCCHを正常に復号できなかった（ＣＲＣ演算結果がＮＧだった）場合のDTX、および、HS-PDSCH-CRC演算部２２でのＣＲＣ演算結果（ACK/NACK）の送信タイミングをスケジューリングするものである。
【００５６】
符号化処理部２６は、このスケジューリング処理部２５でスケジューリングされて、順次、入力される情報（ＣＱＩ報告値、ACK/NACK/DTX）をHS-DPCCHのデータとして符号化するものであり、変調処理部２７は、この符号化処理部２６で符号化された情報を変調するものであり、送信機２８は、当該変調信号をHS-DPCCHの無線信号として送信アンテナを通じて基地局装置に向けて送信するものである。
【００５７】
そして、チャネル推定フィルタスライドシンボル数算出部（時間算出部；以下、単に「スライドシンボル数算出部」という）２９は、ＣＱＩ報告値算出部１２で算出されたＣＱＩ報告値を基に、基地局装置から送信されるHS-PDSCHのＴＢＳを算出し、当該ＴＢＳでのHS-PDSCHの復号処理に要する時間をシンボル単位で算出することで、HS-SCCH用のチャネル推定処理に費やせる時間をシンボル単位で算出し、その算出時間を基に受信HS-SCCHシンボルのスライド数〔スライドシンボル数（遅延量）〕を求めるもので、例えば図３に示すようなＣＱＩ／スライドシンボル数変換テーブル２９１を図示しないメモリ等に記憶しておくことで、入力ＣＱＩ報告値に対してＴＢＳ，HS-PDSCH復号処理時間（ｍｓ），スライドシンボル数を得ることが可能である。
【００５８】
なお、この図３では、ＣＱＩ報告値＝１〜９の範囲において、HS-PDSCHの復号に要する時間が０．５（ｍｓ）であり、当該時間に対してスライド可能なHS-SCCHのシンボル数が１０であることを示し、同様に、ＣＱＩ報告値＝１０〜１６の範囲において、HS-PDSCHの復号処理に要する時間が０．６（ｍｓ）であり、当該時間に対してスライド可能なHS-SCCHのシンボル数が９であることを示し、以下、ＣＱＩ報告値が大きくなるほどHS-PDSCHのＴＢＳが大きくなり、その復号処理に要する時間も長くなるので、スライド可能なHS-SCCHのシンボル数も減少し、ＣＱＩ報告値が２９，３０の場合には、スライドシンボル数が０（スライド不能）となることを示している。
【００５９】
このようにしてスライドシンボル数算出部２９で得られたスライドシンボル数は、HS-SCCHシンボルバッファ３０，HS-SCCHチャネル推定フィルタ１３及びHS-PDSCH復号処理部２１へそれぞれ供給されて、それぞれにおいて当該スライドシンボル数に応じたシンボル単位の遅延処理が施されるようになっている。
HS-SCCHシンボルバッファ（遅延処理部）３０は、受信機１１で分離されたHS-SCCHシンボルを、上記スライドシンボル数算出部２９で得られたスライドシンボル数に応じた時間だけバッファして遅延させた上で、シンボル単位にHS-SCCHチャネル補償処理部１４へHS-SCCHチャネル推定処理部１３で得られたチャネル推定値とパラレルに入力するものである。
【００６０】
つまり、このHS-SCCHシンボルバッファ３０でのバッファ時間を前記スライドシンボル数に応じた時間とすることで、チャネル推定フィルタ範囲がシンボル単位でチャネル補償対象のHS-SCCHシンボルに対して時間的に未来の方向へスライドされることになる。したがって、１つのHS-SCCHチャネル推定フィルタ１３で時間的に異なるチャネルフィルタ範囲のチャネル推定値を得ることができ、装置構成の簡素化に大きく寄与する。
【００６１】
以下、上述のごとく構成された本実施形態の移動機の動作について、図４及び図５を併用しながら説明する。
まず、本移動機では、受信アンテナ（図示省略）から受信した受信信号が受信機１１に入力されて、当該受信機１１にて、従来と同様に、パス検出や逆拡散処理等が行なわれ、CPICH、HS-SCCH、HS-PDSCHの各チャネルが分離される。分離されたCPICHは、CQI報告値算出部１２、HS-SCCHチャネル推定フィルタ１３及びHS-PDSCHチャネル推定フィルタ１８にそれぞれ入力される。
【００６２】
ＣＱＩ報告値算出部１２では、CPICHを介して受信されたパイロット信号（CPICHシンボル）から受信ＳＩＲが求められ、当該受信ＳＩＲに対するＣＱＩ報告値が算出され（受信品質情報検出ステップ）、その算出値からスライドシンボル数算出部２９にて前記変換テーブル２９１（図３参照）によりスライドシンボル数が求められる（時間算出ステップ）。
【００６３】
一方、受信機１１で分離されたHS-SCCHの受信シンボルは、HS-SCCHシンボルバッファ３０にバッファされた後（遅延処理ステップ）、HS-SCCHチャネル補償処理部１４にて、HS-SCCHチャネル推定フィルタ１３で得られたチャネル推定値を用いてチャネル補償され（チャネル補償ステップ）、HS-PDSCHの受信シンボルについても、HS-PDSCHシンボルバッファ１７にてバッファされた後、HS-PDSCHチャネル補償処理部１９にて、HS-PDSCHチャネル推定フィルタ１８で得られたチャネル推定値を用いてチャネル補償される。
【００６４】
ただし、本例のHS-SCCHチャネル推定フィルタ１３及びHS-SCCHシンボルバッファ３０では、スライドシンボル数算出部２９により得られたスライドシンボル数に従ってチャネル推定フィルタ範囲を時間的に未来の方向へスライドさせて最適化することが行なわれる（制御ステップ）。以下、この最適化処理について、図４及び図５を参照しながら詳述する。なお、図４はスライドシンボル数算出部２９で求められたスライドシンボル数が３の場合のHS-SCCHのチャネル推定処理及びチャネル補償処理を説明するための図であり、図５は同じくスライドシンボル数が９の場合のHS-SCCHのチャネル推定処理及びチャネル補償処理を説明するための図で、いずれも１スロットあたりのシンボル数を＃０〜＃９の１０シンボルとしている。
【００６５】
図４に示すように、チャネル補償フィルタ範囲（平均化処理対象）を２スロット分のシンボル（２０シンボル）とすると、スライドシンボル数算出部２９で求められたスライドシンボル数が３の場合は、HS-SCCH用のチャネル推定処理に費やせる時間として３シンボル分の余裕があるので、スロット＃ｎの時刻のシンボル＃０に着目すると、HS-SCCHチャネル推定フィルタ１３では、過去のスロット＃ｎ−２の４番目のシンボル＃３から未来のスロット＃ｎの３番目のシンボル＃２までのCPICHシンボルを平均化処理（図４及び図５中のΣがそれぞれ平均化処理を表している）に用いることができる（従来は過去のスロット＃ｎ−２の最初のシンボル＃０から過去のスロット＃ｎ−１の最後のシンボル＃９までしか使えなかった）。
【００６６】
つまり、未来のスロット＃ｎの３つのシンボル＃０，＃１，＃２を含む２スロット分のチャネル補償フィルタ範囲のCPICHシンボルの平均化処理によって対象スロット＃ｎのHS-SCCH用のチャネル推定値を算出することができる。このため、当該チャネル推定値の算出処理はスロット＃ｎの３番目のシンボル以降に完了することになる。
そこで、HS-SCCHシンボルバッファ３０は、図４中に矢印３０１で示すように、HS-SCCHシンボルを３シンボル遅延させてHS-SCCHチャネル補償処理部１４に入力する。これにより、HS-SCCHチャネル補償処理部１４では、上述のごとく未来の未来のスロット＃ｎの３シンボル＃０，＃１，＃２を含む２スロット分のCPICHシンボルの平均化処理によって算出されたチャネル推定値を用いて、スロット＃ｎのHS-SCCHシンボルのチャネル補償処理を行なうことができる。
【００６７】
同様に、スライドシンボル数が９の場合は、HS-SCCH用のチャネル推定処理に費やせる時間として９シンボル分の余裕があるので、図５に示すように、スロット＃ｎの時刻のシンボル＃０に着目すると、HS-SCCHチャネル推定フィルタ１３では、過去のスロット＃ｎ−２の最後のシンボル＃９から未来のスロット＃ｎの９番目のシンボル＃８までのCPICHシンボルを平均化処理に用いることができるので、未来のスロット＃ｎの９個のシンボル＃０〜＃８を含む２スロット分のチャネル補償フィルタ範囲のCPICHシンボルの平均化処理によって対象スロット＃ｎのHS-SCCH用のチャネル推定値を算出することができる。
【００６８】
そして、当該チャネル推定値の算出処理はスロット＃ｎの９番目のシンボル＃８以降に完了することになるので、HS-SCCHシンボルバッファ３０は、図５中に矢印３０２で示すように、HS-SCCHシンボルを９シンボル遅延させてHS-SCCHチャネル補償処理部１４に入力する。これにより、HS-SCCHチャネル補償処理部１４では、上述のごとく未来の未来のスロット＃ｎの９シンボル＃０〜＃８を含む２スロット分のCPICHシンボルの平均化処理によって算出されたチャネル推定値を用いて、スロット＃ｎのHS-SCCHシンボルのチャネル補償処理を行なうことができる。
【００６９】
つまり、本例のスライドシンボル数算出部２９及びHS-SCCHシンボルバッファ３０は、HS-PDSCHの受信信号についての復号処理に要する時間に応じて、HS-SCCHのチャネル推定処理に用いる複数の既知信号（CPICHシンボル）に、チャネル補償対象のHS-SCCHシンボルの受信後に受信されるCPICHシンボルが含まれるように、チャネル補償フィルタ範囲（チャネル推定期間）を制御する制御手段としての機能を果たしていることになる。
【００７０】
なお、以降のHS-SCCHのHS-SCCH復調処理部１５による復調処理、HS-SCCH復号処理部１５による復号処理及びＣＲＣ演算処理は従来と同様にして行なわれる。
また、HS-PDSCHチャネル推定フィルタ１８、HS-PDSCHチャネル補償処理部１９、HS-PDSCH復調処理部２０、HS-PDSCH復号処理部２１、HS-PDSCH-CRC演算部２２によるHS-PDSCHのチャネル推定処理、チャネル補償処理、復調処理、復号処理、ＣＲＣ演算処理も従来と同様にして行なわれるが、上述したごとくスライドシンボル数だけ、HS-PDSCHの復号に必要な情報がHS-SCCH復号処理・ＣＲＣ演算部１６にて遅延して算出されるため、HS-PDSCH復号処理部２１は、スライドシンボル数算出部２９で得られたスライドシンボル数だけHS-PDSCH復号処理の開始を遅延させる。
【００７１】
さらに、HS-SCCH及びHS-PDSCHについてのＣＲＣ演算処理後も、従来と同様に、スケジューリング処理部２５にてＣＱＩ報告値とACK/NACK(DTX)のスケジューリング処理を行ない、スケジューリング後の情報をHS-DPCCHのデータとして符号化処理部２６により符号化し、変調処理部２７にて符号化データの変調処理を行ない、送信機２８によりHS-DPCCHで変調信号を無線送信する。
【００７２】
なお、本例においても、基地局装置は、ACKを受信すれば新規データを送信するが、DTXを受信すればHS-SCCH及びHS-PDSCHの再送処理を行ない、NACKを受信すれば、HS-PDSCHの再送処理を行なう。
以上のように、本実施形態の移動機によれば、フェージング環境等の受信波の位相が変動するような環境により、受信環境が悪く、HS-SCCHの受信特性が劣化する傾向にある環境でも、ＣＱＩ報告値からHS-PDSCHの基地局装置からのＴＢＳを算出し、その算出時間を基にHS-SCCHをシンボル単位で可能な限り遅延（バッファ処理）させて、チャネル推定フィルタ範囲を最適な範囲に設定することにより、基地局装置との間で特別な送信電力制御などを必要とせずに、HS-SCCHのチャネル推定値の精度を高めることができる。したがって、HS-SCCHの受信特性（BLER特性）を向上させることが可能となり、受信速度を向上して、移動機のスループットとシステムのスループットの改善を図ることが可能となる。
【００７３】
なお、図６に、フェージング速度２５０ｋｍの場合の本例によるスライドシンボル数対HS-SCCHのBLER特性例を示す。この図６から、スライドシンボル数が大きくなるほど、つまり、チャネル推定に用いる未来のCPICHシンボル数が多くなるほど、HS-SCCHのBLER特性が改善されることが分かる。
また、上記処理はいずれも移動端末機側で閉じた処理であるので、基地局装置側に特別な変更を加える必要がなく、汎用性にも富む。
【００７４】
〔Ｃ〕第２実施形態の説明
図７は本発明の第２実施形態に係るＨＳＤＰＡに準拠した移動機の要部構成を示すブロック図で、この図７に示す移動機は、図２により前述した構成に比して、フェージング速度測定部３１と、重み付け係数算出部３２とが付加されている点が異なる。なお、この図７において、他の既述の符号と同一符号を付した構成要素は、特に断らない限り、既述の構成要素と同一若しくは同様のものである。
【００７５】
ここで、フェージング速度測定部３１は、例えば、ドップラー周波数測定等によりフェージング速度を測定するものであり、重み付け係数算出部（重み付け制御部）３２は、このフェージング速度測定部３１で測定されたフェージング速度に基づいて、HS-SCCHのチャネル推定フィルタ１３によって得られるチャネル推定値（平均化処理対象のCPICHシンボル）の重み付けを制御するもので、例えば、測定したフェージング速度が速いほど、前記平均化処理対象のスロット（CPICHシンボル）の中で時間的に後に受信されたスロット（CPICHシンボル）の重み付けを大きくして、平均化処理の重心を時間的に未来の方向へ偏重制御できるようになっている。
【００７６】
即ち、重み付け係数算出部３２は、例えば図４の場合で、スロット＃ｎの時刻のシンボル＃０であれば、スロット＃ｎ−２よりもスロット＃ｎ−１におけるCPICHシンボルの重み付けを大きくすることで、平均化処理の重心を未来の方向へ偏重制御するのである。
このように、測定したフェージング速度に応じて、チャネル推定値を求める際の平均化処理の重み付けを制御することで、フェージング速度が高速でHS-SCCHの受信特性が劣化する傾向にある環境であっても、第１実施形態よりも、さらにHS-SCCH用のチャネル推定値の精度を向上させて、HS-SCCHの受信特性（BLER特性）を向上させることが可能となる。
【００７７】
〔Ｄ〕第３実施形態の説明
図８は本発明の第３実施形態に係るＨＳＤＰＡに準拠した移動機の要部構成を示すブロック図で、この図８に示す移動機は、図２により前述した構成に比して、HS-SCCH_BLER測定部３３と、HS-SCCH_BLER閾値比較／ＣＱＩ報告値オフセット算出部３４とが付加されるとともに、当該HS-SCCH_BLER閾値比較／ＣＱＩ報告値オフセット算出部３４により得られたＣＱＩ報告値のオフセット値によってＣＱＩ報告値算出部１２で算出されたＣＱＩ報告値が制御（減少）されるように構成されている点が異なる。なお、この図７において、他の既述の符号と同一符号を付した構成要素は、特に断らない限り、既述の構成要素と同一若しくは同様のものである。
【００７８】
ここで、HS-SCCH_BLER測定部（エラー率測定部）３３は、例えば、HS-SCCH復号処理・ＣＲＣ演算部１６により算出されたＣＲＣ演算結果を統計的に処理することにより、HS-SCCHについてのBLERを測定するものであり、HS-SCCH_BLER閾値比較／ＣＱＩ報告値オフセット算出部（以下、単に「閾値比較／ＣＱＩオフセット算出部」という）３４は、HS-SCCHのBLERについての閾値を予め保持し、HS-SCCH_BLER測定部３３で測定されたBLERとの閾値比較を行ない、測定BLERが当該閾値を超えると（つまり、エラー率が一定値以下になると）、ＣＱＩ報告値算出部１２で算出されたＣＱＩ報告値を低くするように制御するものである。
【００７９】
例えば、HS-SCCH_BLERの閾値を1.00E-3、その場合のＣＱＩ報告値のオフセットを「−１」と設定した場合、閾値比較／ＣＱＩオフセット算出部３４は、仮にHS-SCCH_BLERの１秒間の測定結果が1.00E-3よりも劣化していた時に、ＣＱＩ報告値算出部１２で算出したＣＱＩ報告値を１小さいＣＱＩ報告値に補正する。
つまり、閾値比較／ＣＱＩオフセット算出部３４は、ＣＱＩ報告値算出部１２とともに、HS-SCCHのBLERを測定し、エラー率が一定値よりも悪くなった場合に、ＣＱＩ報告値算出部１２で算出されたＣＱＩ報告値よりも低いＣＱＩ報告値を基地局装置へ報告する受信品質情報補正報告部としての機能を果たしている。
【００８０】
これにより、基地局装置から移動機へ送信されるHS-PDSCHのＴＢＳ（送信データ量）を小さくすることができ、移動機では、HS-SCCH用のチャネル推定処理に費やせる時間を拡大して前記スライドシンボル数算出部２９で算出されるスライドシンボル数を大きくすることが可能となり、HS-SCCHのBLERが劣化した場合でも、移動機主導で、HS-SCCHの受信特性（エラー率）を積極的に改善することが可能となる。
【００８１】
また、移動機側でＣＱＩ報告値を操作するので、本例においても、基地局装置側に特別な変更を加える必要がなく、汎用性にも富む。
なお、本例では、基地局装置へ報告するＣＱＩ報告値を小さく補正することで、HS-PDSCHのＴＢＳを小さくしているが、ＣＱＩ報告値の代わりに、HS-PDSCHのＴＢＳを下げるように基地局装置へ依頼することで同等の機能を実現してもよい。
【００８２】
〔Ｅ〕その他
なお、本発明は、上述した実施形態に限定されず、本発明の趣旨を逸脱しない範囲で種々変形して実施できることはいうまでもない。
例えば、上述した実施形態では、チャネル推定フィルタ範囲の制御として、平均化処理対象のシンボル数は一定のまま時間的に未来の方向へスライドさせる制御を行なっているが、当該スライド制御とともに平均化処理対象のシンボル数を可変にしてもよい。また、スライド制御ではなく、未来の方向への拡張制御としてもよい。
【００８３】
つまり、少なくとも、チャネル補償対象のHS-SCCHシンボルの受信後に受信される未来のCPICHシンボルが前記フィルタ範囲に含まれるように（平均化処理の重心が時間的に未来の方向へ）制御されれば足りる。なお、スライド制御を行なわずに平均化処理対象のシンボル数を可変することでも、HS-SCCHの受信特性が改善される場合もあるが、上述した実施形態のように、未来のCPICHシンボルを用いない限り、根本的な解決には至らない。
【００８４】
また、上述した実施形態では、移動機が送信したＣＱＩ報告値を用いて、基地局装置から送信されるHS-PDSCHのＴＢＳを算出し、HS-PDSCHの復号処理に要する時間を算出することで、HS-SCCH用のチャネル推定処理に費やせる時間を算出しているが、HS-PDSCHについてのチャネル推定，復調，復号処理能力（プロセッサ処理能力）を基に、当該時間を算出するようにしてもよい。
【００８５】
〔Ｆ〕付記
（付記１）
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号の受信完了から当該第２のチャネルの受信信号についての復号処理が完了するまでの時間が規定時間に定められている移動端末装置において、
該基地局装置から或るチャネル推定期間に受信された複数の既知信号を用いて前記第１のチャネルの受信信号についてのチャネル推定値を求めるチャネル推定処理部と、
前記チャネル推定処理部により得られた前記チャネル推定値を用いて前記第１のチャネルの受信信号についてのチャネル補償処理を行なうチャネル補償処理部と、
前記第２のチャネルの受信信号についての復号処理が完了してから前記規定時間の終了までの残り時間に応じて、前記複数の既知信号に、チャネル補償対象の前記第１のチャネルの受信信号の受信後に受信される既知信号が含まれるように、前記チャネル推定期間を制御する制御手段と
がそなえられたことを特徴とする、移動端末装置。
【００８６】
（付記２）
該制御手段が、
該基地局装置での前記第２のチャネルについての送信データ量の決定要素として用いられ該基地局装置へ報告すべき受信品質情報を前記既知信号から検出する受信品質情報検出部と、
該受信品質情報検出部で検出した前記受信品質情報に基づいて前記残り時間を求める残り時間算出部と、
該残り時間算出部により得られた前記残り時間に応じて前記第１のチャネルの受信信号を遅延して該チャネル補償処理部へ該チャネル推定処理部で得られたチャネル推定値とパラレルに入力する遅延処理部とをそなえて構成されたことを特徴とする、付記１記載の移動端末装置。
【００８７】
（付記３）
該制御手段が、
フェージング速度を測定するフェージング速度測定部と、
該フェージング速度測定部により測定されたフェージング速度に応じて、前記チャネル推定期間における前記複数の既知信号の重み付けを制御する重み付け制御部とをそなえて構成されたことを特徴とする、付記１又は２に記載の移動端末装置。
【００８８】
（付記４）
該重み付け制御部が、
該フェージング速度測定部で測定されたフェージング速度が速いほど、前記チャネル推定期間において後に受信された既知信号の重み付けを大きくすべく構成されたことを特徴とする、付記３記載の移動端末装置。
【００８９】
（付記５）
該制御手段が、
前記第１のチャネルの受信信号についてのエラー率を測定するエラー率測定部と、
該エラー率測定部により測定されたエラー率が一定値以下になると、該基地局装置からの前記第２のチャネルについての送信データ量を減少させて前記残り時間を拡大すべく、該受信品質情報検出部で検出された受信品質情報よりも低い受信品質情報を該基地局装置へ報告する受信品質情報補正報告部とをそなえて構成されたことを特徴とする、付記２記載の移動端末装置。
【００９０】
（付記６）
前記第１のチャネルがＨＳＤＰＡ（High Speed Downlink Packet Access）方式におけるHS-SCCH（High Speed-Shared Control Channel）であり、前記第２のチャネルが前記ＨＳＤＰＡ方式におけるHS-PDCH（High Speed-Physical Downlink Shared Channel）であることを特徴とする、付記１〜５のいずれか１項に記載の移動端末装置。
【００９１】
（付記７）
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号の受信完了から当該第２のチャネルの受信信号についての復号処理が完了するまでの時間が規定時間に定められている移動端末装置において、
該基地局装置から或るチャネル推定期間に受信される複数の既知信号を用いて前記第１のチャネルの受信信号についてのチャネル推定値を求めるチャネル推定ステップと、
当該チャネル推定ステップで得られたチャネル推定値を用いて前記第１のチャネルの受信信号についてのチャネル補償処理を行なうチャネル補償ステップと、
前記第２のチャネルの受信信号についての復号処理が完了してから前記規定時間の終了までの残り時間に応じて、前記複数の既知信号に、チャネル補償対象の前記第１のチャネルの受信信号の受信後に受信される既知信号が含まれるように、前記チャネル推定期間を制御する制御ステップとを有することを特徴とする、移動端末装置におけるチャネル補償方法。
【００９２】
（付記８）
該制御ステップが、
該基地局装置での前記第２のチャネルについての送信データ量の決定要素として用いられ該基地局装置へ報告すべき受信品質情報を前記既知信号から検出する受信品質情報検出ステップと、
該受信品質情報検出ステップで検出した前記受信品質情報に基づいて前記残り時間を求める残り時間算出ステップと、
該残り時間算出ステップにより得られた前記残り時間に応じて前記第１のチャネルの受信信号を遅延して該チャネル補償処理部に前記チャネル推定値とパラレルに入力する遅延処理ステップとを含むことを特徴とする、付記７記載の移動端末装置におけるチャネル補償方法。
【００９３】
（付記９）
該制御ステップが、
フェージング速度を測定するフェージング速度測定ステップと、
該フェージング速度測定ステップにより測定されたフェージング速度に応じて、前記チャネル推定期間における前記複数の既知信号の重み付けを制御する重み付け制御ステップとを含むことを特徴とする、付記７又は８に記載の移動端末装置におけるチャネル補償方法。
【００９４】
（付記１０）
該重み付け制御ステップにおいて、
該フェージング速度測定ステップで測定されたフェージング速度が速いほど、前記チャネル推定期間において後に受信された既知信号の重み付けを大きくすることを特徴とする、付記９記載の移動端末装置におけるチャネル補償方法。
【００９５】
（付記１１）
該制御ステップが、
前記第１のチャネルの受信信号についてのエラー率を測定するエラー率測定ステップと、
該エラー率測定ステップにより測定されたエラー率が一定値以下になると、該基地局装置からの前記第２のチャネルについての送信データ量を減少させて前記残り時間を拡大すべく、該受信品質情報検出ステップで検出された受信品質情報よりも低い受信品質情報を該基地局装置へ報告する受信品質情報補正報告ステップとを含むことを特徴とする、付記８記載の移動端末装置におけるチャネル補償方法。
【００９６】
（付記１２）
前記第１のチャネルがＨＳＤＰＡ（High Speed Downlink Packet Access）方式におけるHS-SCCH（High Speed-Shared Control Channel）であり、前記第２のチャネルが前記ＨＳＤＰＡ方式におけるHS-PDCH（High Speed-Physical Downlink Shared Channel）であることを特徴とする、付記７〜１１のいずれか１項に記載の移動端末装置におけるチャネル補償方法。
【産業上の利用可能性】
【００９７】
以上詳述したように、本発明によれば、フェージング環境等の受信波の位相が変動するような環境により、受信環境が悪く、第１のチャネルの受信特性が劣化する傾向にある環境でも、チャネル推定期間を最適化制御して、第１のチャネル用のチャネル推定値の精度を高めて、第１のチャネルの受信特性、ひいては第２のチャネルの受信特性も向上させることができる。したがって、移動端末装置の受信速度を向上して、移動端末装置のスループットとシステムのスループットの改善を図ることが可能となるので、移動通信技術分野において極めて有用と考えられる。
【図面の簡単な説明】
【００９８】
【図１】ＴＢＳに対するHS-PDSCH復号処理時間の一例を示すグラフである。
【図２】本発明の第１実施形態に係るＨＳＤＰＡに準拠した移動機の要部構成を示すブロック図である。
【図３】第１実施形態に係るＣＱＩ／スライドシンボル数変換テーブルの一例を示す図である。
【図４】第１実施形態に係るHS-SCCHのチャネル推定／補償処理（スライドシンボル数が３の場合）のタイムチャートイメージをシンボル単位で示す図である。
【図５】第１実施形態に係るHS-SCCHのチャネル推定／補償処理（スライドシンボル数が９の場合）のタイムチャートイメージをシンボル単位で示す図である。
【図６】フェージング速度２５０ｋｍの場合の第１実施形態によるスライドシンボル数対HS-SCCHのBLER特性例を示すグラフである。
【図７】本発明の第２実施形態に係るＨＳＤＰＡに準拠した移動機の要部構成を示すブロック図である。
【図８】本発明の第３実施形態に係るＨＳＤＰＡに準拠した移動機の要部構成を示すブロック図である。
【図９】ＨＳＤＰＡにおけるチャネル構成を示す図である。
【図１０】ＨＳＤＰＡに準拠した従来の移動機（移動端末装置）の要部の構成例を示すブロック図である。
【図１１】図１０に示す移動機でのHS-PDSCHのチャネル推定／補償処理のタイムチャートイメージをシンボル単位で示す図である。
【図１２】図１０に示す移動機でのHS-SCCHのチャネル推定／補償処理のタイムチャートイメージをシンボル単位で示す図である。
【図１３】図１０に示す移動機のフェージング速度に対する固定フォーマット受信時のHS-PDSCHのBLER特性を定量的に示したグラフである。
【図１４】図１０に示す移動機のフェージング速度に対するHS-SCCHのBLER特性を定量的に示したグラフである。
【符号の説明】
【００９９】
１１  受信機
１２  ＣＱＩ報告値算出部
１３  HS-SCCHチャネル推定フィルタ
１４  HS-SCCHチャネル補償処理部
１５  HS-SCCH復調処理部
１６  HS-SCCH復号処理・ＣＲＣ演算部
１７  HS-PDSCHシンボルバッファ
１８  HS-PDSCHチャネル推定フィルタ
１９  HS-PDSCHチャネル補償処理部
２０  HS-PDSCH復調処理部
２１  HS-PDSCH復号処理部
２２  HS-PDSCH-CRC演算部
２３  下り受信タイミング監視部
２４  上り送信タイミング管理部
２５  スケジューリング処理部
２６  符号化処理部
２７  変調処理部
２８  送信機
２９  チャネル推定フィルタスライドシンボル数算出部
２９１  ＣＱＩ／スライドシンボル数変換テーブル
３０  HS-SCCHシンボルバッファ
３１  フェージング速度測定部
３２  重み付け係数算出部
３３  HS-SCCH_BLER測定部
３４  HS-SCCH_BLER閾値比較／ＣＱＩ報告値オフセット算出部
【図１】
0004649330.tif 000002
【図２】
0004649330.tif 000003
【図３】
0004649330.tif 000004
【図４】
0004649330.tif 000005
【図５】
0004649330.tif 000006
【図６】
0004649330.tif 000007
【図７】
0004649330.tif 000008
【図８】
0004649330.tif 000009
【図９】
0004649330.tif 000010
【図１０】
0004649330.tif 000011
【図１１】
0004649330.tif 000012
【図１２】
0004649330.tif 000013
【図１３】
0004649330.tif 000014
【図１４】
0004649330.tif 000015